(57)【要約】【課題】送風作業機の通風管を通過する空気から生じる送風騒音を低減させる。【解決手段】送風作業機１０は、空気を送り出す送風部２０と、送風部２０の通風ダクト２１ａに接続する通風管３０とを備え、通風管３０は通風ダクト２０ａに接続される基端側にエルボ管３１と、エルボ管３１より先端側に真直に延びる真直管３３とを有し、通風管３０のエルボ管３１より先端側となる真直管３３の基端部には内周面に吸音材４２を配設した消音管部４１を設けた。【選択図】図１
2019127870.tif 000002
【特許請求の範囲】
【請求項１】
空気を送り出す送風部と、
前記送風部の通風ダクトに接続する通風管とを備え、
前記通風管は通風ダクトに接続される基端側にエルボ管と、エルボ管より先端側に真直に延びる真直管とを有した送風作業機であって、
前記通風管の前記エルボ管より先端側となる前記真直管の基端部には内周面に吸音材を配設した消音管部を設けたことを特徴とする送風作業機。
【請求項２】
請求項１に記載の送風作業機において、
前記消音管部を、前記真直管の先端部にさらに設けたことを特徴とする送風機。
【請求項３】
請求項２に記載の送風作業機において、
前記真直管の基端部と先端部に設けた前記消音管部の少なくとも一方の長さを前記真直管の長さの１／４以上としたことを特徴とする送風作業機。
【請求項４】
請求項１〜３の何れか１項に記載の送風作業機において、
前記吸音材の表面に１００μｍ以下の厚みの被膜を設けたことを特徴とする送風作業機。
【請求項５】
請求項１〜４の何れか１項に記載の送風作業機において、
前記真直管の基端部に配置した前記消音管部の外周部に作業者が把持するグリップハンドルを配置したことを特徴とする送風作業機。
【請求項６】
請求項５に記載の送風作業機において、
前記グリップハンドルを前記真直管の基端部に配置した前記消音管部の軸線方向に沿ってスライド移動可能に取り付けるようにして、前記グリップの位置を調節可能としたことを特徴とする送風作業機。
【発明の詳細な説明】
【技術分野】
【０００１】
本発明は、ブロワや集塵機のような送風作業機に関し、送風部の通風ダクトに接続された通風管がエルボ管とエルボ管より先端側に真直管を有した送風作業機に関する。
【背景技術】
【０００２】
特許文献１には空気を噴出させて落葉等を吹き集めるブロワが開示されている。ブロワは、背負フレームに搭載して空気を噴出させる送風部と、送風部の送風ダクト部に接続した送風管とを備え、送風部から送り出した空気を送風管の先端から噴出させるようにしている。
【先行技術文献】
【特許文献】
【０００３】
【特許文献１】特開２０１５−０８３８１６号公報
【発明の概要】
【発明が解決しようとする課題】
【０００４】
特許文献１のブロワのような送風作業機では、例えばブロワユニットの駆動源のエンジンを電動モータに代えて駆動音の低騒音化を図るようにして、送風作業機から発生する騒音をできるだけ小さくするようしたものが開発されているが、送風管を通過する送風騒音を十分に低減できるものが開発されていない。特に、特許文献１のブロワのような送風作業機では、送風管の基端側にエルボ管が配置され、エルボ管よりも先端側に真直管が配置されており、送風管では送風部でファンの回転よって発生する入射波と、入射波がエルボ管の曲部等で反射する反射波により合成される定在波が増幅されて大きな送風騒音となっていた。本発明は、送風作業機の通風管を通過する空気から生じる送風騒音を低減させることを目的とする。
【課題を解決するための手段】
【０００５】
上記課題を解決するために本発明は、空気を送り出す送風部と、送風機の通風ダクトに接続する通風管とを備え、通風管は通風ダクトに接続される基端側にエルボ管と、エルボ管より先端側に真直に延びる真直管とを有した送風作業機であって、通風管のエルボ管より先端側となる真直管の基端部には内周面に吸音材を配設した消音管部を設けたことを特徴とする送風作業機を提供するものである。
【０００６】
上記のように構成した送風作業機においては、通風管のエルボ管より先端側となる真直管の基端部には内周面に吸音材を配設した消音管部を設けたので、通風管を通過する空気から生じる送風騒音を低減させることができた。
【０００７】
上記のように構成した送風作業機においては、消音管部を、真直管の先端部にさらに設けるのが好ましい。このようにしたときには、真直管内で入射波と反射波とにより合成される定在波が増幅されて生じる送風騒音を低減させることができるようになった。このようにした場合において、真直管の基端部と先端部に設けた消音管部の少なくと一方の長さを真直管の長さの１／４以上とするのが好ましい。
【０００８】
上記のように構成した送風作業機においては、吸音材の表面に１００μｍ以下の厚みの被膜を設けるのが好ましい。このようにしたときには、被膜が空気の圧力変動を受けて振動することにより、被膜の熱交換損失で吸音することができるようになり、送風管を通過する空気から生じる送風騒音を更に低減させることができるようになった。
【０００９】
上記のように構成した送風作業機においては、真直管の基端部に配置した消音管部の外周部に作業者が把持するグリップハンドルを配置するのが好ましい。この場合において、グリップハンドルを真直管の基端部に配置した消音管部の軸線方向に沿ってスライド移動可能に取り付けるようにして、グリップの位置を調節可能とするのが好ましい。
【図面の簡単な説明】
【００１０】
【図１】本発明の送風作業機の一実施形態である背負式ブロワの第１実施形態の側面図である。
【図２】消音器の軸線方向に沿った断面図である。
【図３】背負式ブロワの第２実施形態の側面図である。
【発明を実施するための最良の形態】
【００１１】
以下、本発明の送風作業機の一実施形態である背負式ブロワの第１実施形態を添付図面を参照して説明する。図１に示したように、背負式ブロワ１０は、作業者が背負う背負フレーム１１と、背負フレーム１１に搭載したブロワユニット（送風部）２０と、ブロワユニット２０の送風ダクト（通風ダクト）２１ａに接続した送風管（通風管）３０と、送風管３０に介装された消音器４０とを備えている。背負フレーム１１は作業者がブロワユニット２０を背負って運ぶためのものである。背負フレーム１１は、作業者の背中に沿って配置される背板部１２と、背板部１２の下端から後方に延びる台座部１３とからなり、側面から見た形状がＬ字形をしている。背負フレーム１１の台座部１３には前側にボリュート２１が搭載されている。
【００１２】
図１に示したように、ブロワユニット２０は、ボリュート２１と、ボリュート２１内に回転可能に設けた羽根車（図示省略）と、羽根車を回転させる原動機２２とを備えている。ボリュート２１の側部には送風ダクト２１ａが形成されており、ボリュート２１内にて羽根車の回転によって遠心方向に送り出される空気は送風ダクト２１ａから噴出される。
【００１３】
図１に示したように、送風ダクト２１ａには送風管３０が接続されており、送風管３０は、送風ダクト２１ａに回転可能に接続されたエルボ管３１と、エルボ管３１に接続された蛇腹管３２と、蛇腹管３２に接続された真直管３３と、真直管３３の先端に接続されたノズル３４を備えている。真直管３３は送風ダクト２１ａ側となる基端部に消音器４０を備えている。また、真直管３３の基端部の消音器４０が配置された位置には操作ハンドル（グリップハンドル）３５が設けられており、操作ハンドル３５は送風管３０を操作可能としている。また、操作ハンドル３５にはスロットルレバー３５ａが設けられており、スロットルレバー３５ａの操作によって原動機２２の出力が調整される。なお、この実施形態では、操作ハンドル３５は基端側の消音器４０を配置した部分に取り付けられている。
【００１４】
図１及び図２に示したように、消音器４０は送風管３０を通過する送風騒音を低減させるものであり、真直管３３の基端部に配置されている。消音器４０は真直管３３の基端部にて蛇腹管３２に接続されている。消音器４０は円筒形をした消音管部４１と、消音管部４１の内周面に貼着された吸音材４２とを備えている。消音器４０の消音管部４１は吸音材４２が設けられた部分となっている。吸音材４２は１０ｍｍの厚さの発泡ポリウレタン材よりなり、消音管部４１を通過する送風騒音を吸収して低減させる機能を有している。吸音材４２の表面には１００μｍの厚みの滑面よりなる被膜が形成されており、吸音材４２の表面の被膜は空気の圧力変動を受けて振動することにより、被膜の熱交換損失で吸音する機能を有している。
【００１５】
真直管３３の基端部に配置された消音器４０の消音管部４１は消音器４０及びノズル３４を含めた真直管３３の長さの１／３となっている。消音管部４１の吸音材４２が貼着されてないときの内径は９００ｍｍとなっており、消音管部４１の吸音材４２を設けたときの内径は７００ｍｍとなっている。消音管部４１の吸音材４２を設けた部分の内径はノズル３４を除いた送風管３０の内径と実質的に同じとなっており、送風管３０から消音管部４１を通過する送風の抵抗とならないようになっている。
【００１６】
送風管３０にはボリュート２１内のファンの回転によって発生する入射波と、入射波がエルボ管３１の曲部や蛇腹管３２で反射する反射波とからなる定在波が増幅されている。真直管３３の基端部はエルボ管３１の曲部や蛇腹管３２によって半分閉じられた状態であり、真直管３３の先端部は開放された状態とあり、真直管３３内の疎密波状態は軸線方向の中央部より基端側が密で両端側が疎の状態となっている。この送風管３０は、真直管３３の基端部に消音器４０を設けたことでエルボ管３１の曲部や蛇腹管３２で反射する反射波を低く抑えることができる。
【００１７】
上記のように構成した背負式ブロワ１０の作動について説明する。スロットルレバー３５ａの操作により原動機２２を駆動させると羽根車が回転し、ボリュート２１の前側の吸気開口部から吸い込まれた空気が回転する羽根車により遠心方向に噴き出され、噴き出された空気は渦形の送風路で昇圧されて送風ダクト２１ａに送られ、送風ダクト２１ａから噴き出された空気は送風管３０を通って地面に噴き出される。作業者が送風管３０の操作ハンドル３５を把持して先端開口を作業者の前側で左右に揺動させると、地面に広範囲に散る落葉等が吹き集められるようになる。
【００１８】
このように構成した背負式ブロワ１０においては、送風管（通風管）３０のエルボ管３１より先端側には内周面に吸音材４２を配設した消音管部４１を設けた。このようにしたことで、送風管３０を通過する空気から生じる送風騒音を低減させることができた。特に、この実施形態では、真直管３３の基端部に設けた消音器４０がエルボ管３１及び蛇腹管３２で反射する反射波を効率よく吸収することができ、送風管３０を通過する空気による送風騒音を低減させることができた。また、ボリュート２１のファンの回転により生じる入射波と、入射波がエルボ管３１及び蛇腹管３２により反射される反射波とにより合成される定在波が真直管３３内で増幅されて生じる送風騒音が大きくなっているが、消音器４０を真直管３３の基端部に配置しているので、増幅された定在波から生じる送風騒音を効率よく低減させることができた。また、真直管３３の基端部に設けた消音管部４１の長さを消音管部４１を含めた真直管３３の長さの１／４以上として１／３の長さとしたので、真直管３３内の定在波による送風騒音を効率よく低減させるようにすることができた。なお、消音管部４１の長さが長くなるものの、消音管部４１の長さを真直管３３の１／４以上としたものであっても同様の作用効果を得ることができる。さらに、吸音材４２の表面に１００μｍ以下の厚みの被膜を設けたので、被膜が空気の圧力変動を受けて振動することにより、被膜の熱交換損失で吸音することができるようになり、送風管３０を通過する空気から生じる送風騒音を更に低減させることができるようになった。
【００１９】
また、真直管３３の基端部に配置された消音管部４１の外周部には作業者が把持する操作ハンドル（グリップハンドル）３５を取り付けるようにしている。消音管部４１の内周面に設けた吸音材４２の厚みを１０ｍｍとしていることで、消音管部４１の外径が過剰に太くならないようにすることができ、操作ハンドル３５を消音管部４１に取り付けたときでも、操作ハンドル３５が送風管３０からできるだけ離れないようにすることができた。また、操作ハンドル３５を消音管部４１の軸線方向に移動可能に取り付けるようにし、操作ハンドルの位置を調節可能としたので、操作ハンドル３５を把持して作業をするときの作業性を良好とすることができた。なお、操作ハンドル３５はスロットルレバー３５ａが設けられてないものであってもよい。
【００２０】
次に、第２実施形態の背負式ブロワ１０について説明する。図３に示したように、第２実施形態の背負式ブロワ１０では、真直管３３は送風ダクト２１ａ側となる基端部と、空気の噴出口側となる先端部に消音器４０を備えている（基端側の消音器を４０Ａで示し（第１実施形態の消音器４０と同じである）、先端側の消音器を４０Ｂで示した）。基端部に配置された消音器４０Ａの消音管部４１は消音器４０及びノズル３４を含めた真直管３３の長さの１／３となっており、先端部に配置された消音器４０Ｂの消音管部４１の長さは消音器４０及びノズル３４を含めた真直管３３の長さの１／５の長さとなっている。
【００２１】
上述したように、送風管３０にはボリュート２１内のファンの回転によって発生する入射波と、入射波がエルボ管３１の曲部や蛇腹管３２で反射する反射波とからなる定在波が増幅されている。真直管３３の基端部はエルボ管３１の曲部や蛇腹管３２によって半分閉じられた状態であり、真直管３３の先端部は開放された状態とあり、真直管３３内の疎密波状態は軸線方向の中央部より基端側が密で両端側が疎の状態となっている。この送風管３０は、真直管３３の基端部に消音器４０Ａを設けたことでエルボ管３１の曲部や蛇腹管３２で反射する反射波を低く抑えることができるだけでなく、真直管３３の先端部にも消音器４０Ｂを配置したことで送風管３０内で増幅された定在波から生じる送風騒音を低減することができた。なお、他の構成については上述した第１実施形態の背負式ブロワ１０と同様である。
【００２２】
この第２実施形態では、第１実施形態の背負式ブロワ１０の作用効果を得られるだけでなく、消音器４０（４０Ａ，４０Ｂ）を真直管３３の基端部と先端部の両方に配置したので、増幅された定在波から生じる送風騒音を効率よく低減させることができた。また、真直管３３の基端部と先端部に設けた消音管部４１の少なくとも一方として、基端部に配置した消音管部４１の長さを消音管部４１を含めた真直管３３の長さの１／４以上として１／３の長さとしたので、真直管３３内の定在波による送風騒音を効率よく低減させるようにすることができた。なお、先端部の消音器４０Ｂの消音管部４１の長さが長くなるものの、消音器４０Ｂの消音管部４１の長さを真直管３３の１／４以上としたものであっても同様の作用効果を得ることができる。
【００２３】
本発明の送風作業機はこの実施形態の背負式ブロワ１０に限られるものでなく手持式ブロワであってもよい。また、本発明の送風作業機は背負式集塵機や手持式集塵機であってもよく、この場合には、送風部の通風ダクトに集塵管（上記の送風管（通風管）と同様の構成である）を接続し、送風部の通風ダクトから集塵管を介して空気を吸引する。
【符号の説明】
【００２４】
１０…送風作業機、２０…送風部、２０ａ…通風ダクト、３０…通風管（送風管）、３１…エルボ管、３３…真直管、４１…消音管部、４２…吸音材。
【図１】
2019127870.tif 000003
【図２】
2019127870.tif 000004
【図３】
2019127870.tif 000005